(57)【要約】【課題】この発明は、電磁波低減装置を設ける場合に接地工事が必要になるという課題を解決しようとするものである。【解決手段】この発明は、商用電源の複数の電源ライン１７、１８を選択的に機器のシールドポイントに切換接続する切換手段ＳＷ１を備え、この切換手段ＳＷ１は複数の電源ライン１７、１８のうち機器から出る電磁波が最小となる電源ラインを中性点接地ラインとして機器のシールドポイントに切換接続して機器から出る電磁波を低減するものである。【選択図】  図１
2004288533.tif 000002
【特許請求の範囲】
【請求項１】
商用電源に接続されるべき機器と商用電源との間に接続される商用電源中性点接地装置であって、前記商用電源の複数の電源ラインを選択的に前記機器のシールドポイントに切換接続する切換手段を備え、この切換手段は前記複数の電源ラインのうち前記機器から出る電磁波が最小となる電源ラインを中性点接地ラインとして前記機器のシールドポイントに切換接続して前記機器から出る電磁波を低減することを徴特とする商用電源中性点接地装置。
【請求項２】
請求項１記載の商用電源中性点接地装置において、前記機器の電源が投入されない時に前記中性点接地ラインと前記シールドポイントとの接続を遮断するリレーと、前記機器への所定周波数の信号を除去するフィルタとを備えたことを徴特とする商用電源中性点接地装置。
【発明の詳細な説明】
【０００１】
【発明の属する技術分野】
本発明は商用電源に接続される機器から出る電磁波を低減する商用電源中性点接地装置に関する。
【０００２】
【従来の技術】
商用電源に接続される機器は、電磁波が外部に出る場合には、外部に出る電磁波を低減する電磁波低減装置を設けている。この電磁波低減装置は、機器の電磁波が発生する部分と外部との間にシールド部材を設けて該シールド部材を接地することで電磁波が外部に出ないようにしている。
【０００３】
【発明が解決しようとする課題】
上記機器では、電磁波が外部に出る場合には電磁波低減装置を設けているが、シールド部材を接地する接地工事が必要になり、また、シールド部材を接地できない場合には機器から外部に出る電磁波を低減することができない。
【０００４】
本発明は、接地工事をせずに機器から外部に出る電磁波を低減することができる商用電源中性点接地装置を提供することを目的とする。
【０００５】
【課題を解決するための手段】
上記目的を達成するため、請求項１に係る発明は、商用電源に接続されるべき機器と商用電源との間に接続される商用電源中性点接地装置であって、前記商用電源の複数の電源ラインを選択的に前記機器のシールドポイントに切換接続する切換手段を備え、この切換手段は前記複数の電源ラインのうち前記機器から出る電磁波が最小となる電源ラインを中性点接地ラインとして前記機器のシールドポイントに切換接続して前記機器から出る電磁波を低減するものである。
【０００６】
請求項２に係る発明は、請求項１記載の商用電源中性点接地装置において、前記機器の電源が投入されない時に前記中性点接地ラインと前記シールドポイントとの接続を遮断するリレーと、前記機器への所定周波数の信号を除去するフィルタとを備えたものである。
【０００７】
【発明の実施の形態】
商用電源には中性点接地が必要であるが、その中性点接地の必要性及び目的は次の点▲１▼〜▲３▼にある。
▲１▼電源系統の故障による異常電圧の発生を抑制し、健全相対地電圧の上昇を防止する。
▲２▼地絡故障時の保護継電器の動作を早く確実にして災害の拡大を防止する。
▲３▼消弧リアクトル接地方式では、１線地絡故障時の地絡アークを消滅させ、線路を遮断せずに送電の継続を可能にする。
【０００８】
中性点接地を行う代表的な中性点接地方式としては直接接地方式があり、この直接接地方式では図３に示すようにΔ結線１をスター結線２に変換する商用周波数電源の変圧器の中性点をできるだけ低インピーダンスとなるように導線で接地する。この直接接地方式は、系統絶縁の面での技術的、経済的な有利さから採用されている。中性点接地方式は直接接地方式の他に抵抗接地方式、消弧リアクトル接地方式、抵抗リアクトル並列接地方式がある。
【０００９】
一般的な会社や家庭で使用される商用電源は、このような中性点接地方式が採用されるため、のＨＯＴラインとＮＥＵＴラインが必ず存在し、中性点接地ラインが存在する。そこで、本発明の実施形態は、このような商用電源の中性点接地ラインを、商用電源に接続される機器のシールドポイントに接続して機器から出る電磁波を低減するものである。
【００１０】
図２は本発明の一実施形態を示す。この実施形態の商用電源中性点接地装置１１は、機器１２の商用電源ライン１３と商用電源との間に接続され、商用電源の中性点接地ラインを機器１２のシールドポイントに接続して機器１２から出る電磁波を低減する。機器１２は電磁波を発生する部分と外部との間にシールド部材が設けられ、このシールド部材は接地されずに機器１２のシールドポイントとして商用電源の中性点接地ラインに接続される。
【００１１】
商用電源中性点接地装置１１は商用電源の各電源ライを機器１２のシールドポイントに順次に切換接続し、乾電池等にて動作する電磁波測定器１４にて機器１２から出る電磁波を測定する。商用電源中性点接地装置１１は、商用電源の各電源ラインのうち、電磁波測定器１４による測定で機器１２から出る電磁波が最も少なかった電源ラインを中性点接地ラインとして機器１２のシールドポイントに接続したままとすることで、機器１２から出る電磁波を低減する。
【００１２】
図１は本実施形態の回路構成を示す。プラグ１５は商用電源に接続され、プラグ１６は機器１２の商用電源ライン１３に接続される。したがって、商用電源はプラグ１５、電源ライン１７、１８及びプラグ１６を介して機器１２の商用電源ライン１３に接続され、プラグ１６のシールド端子１６ａは機器１２のシールドポイントに接続される。
【００１３】
リレーＫ１のコイルは電源ライン１７、１８間に接続され、リレーＫ１の常開接点の一端が１００ＫΩの抵抗Ｒ１及び０．１μＦのコンデンサＣ１を並列に介してシールド端子１６ａに接続される。リレーＫ１の常開接点の他端はスイッチＳＷ１の切換接片に接続され、スイッチＳＷ１の２つの固定端子はそれぞれコイルＬ１，Ｌ２及び１ＫΩの抵抗Ｒ２、Ｒ３を直列に介して電源ライン１７、１８に接続される。コイルＬ１，Ｌ２及び抵抗Ｒ２、Ｒ３の各接続点はそれぞれ０．１μＦのコンデンサＣ１，Ｃ２を介してシールド端子１６ａに接続される。
【００１４】
測定モードではスイッチＳＷ１の切換接片を手動でスイッチＳＷ１の２つの固定端子に順に切換接続することにより、各電源ライン１７、１８を抵抗Ｒ２、Ｒ３のうち一方及び抵抗Ｒ１を介して機器１２のシールドポイントに順次に切換接続し、電磁波測定器１４にて機器１２から出る電磁波を測定する。その後の動作モードでは、商用電源の各電源ライン１７、１８のうち、電磁波測定器１４による測定で機器１２から出る電磁波が最も少なかった電源ラインを中性点接地ラインとしてスイッチＳＷ１により機器１２のシールドポイントに接続したままとすることで、機器１２から出る電磁波を低減する。
【００１５】
抵抗Ｒ１及びコンデンサＣ１、コイルＬ１、Ｌ２、抵抗Ｒ２，Ｒ３及びコンデンサＣ２，Ｃ３は、通信線に対する電磁波誘導障害を発生させないとともに地絡電流が大きい時に不平衡分零相電流による電磁波障害を最小に留め、さらに外部に高周波の復調波を出さないような所定周波数のノイズを除去するフイルタを構成する。リレーＫ１は、機器１２の電源が投入された時に電源ライン１７、１８間の電圧により動作するが、機器１２の電源が投入されていない時には不動作になって常開接点Ｋ１ａを解放することで中性点接地ラインと機器１２のシールドポイントとの間を遮断して電源ライン１７、１８を保護する。
【００１６】
この実施形態によれば、商用電源の複数の電源ライン１７、１８を選択的に機器１２のシールドポイントに切換接続する切換手段としてのスイッチＳＷ１を備え、この切換手段は複数の電源ライン１７、１８のうち機器１２から出る電磁波が最小となる電源ラインを中性点接地ラインとして機器１２のシールドポイントに切換接続して機器１２から出る電磁波を低減するので、シールド部材を接地する工事をせずに機器から外部に出る電磁波を低減することができる。
【００１７】
また、この実施形態によれば、機器１２の電源が投入されない時に中性点接地ラインとシールドポイントとの接続を遮断するリレーＫ１と、機器１２への所定周波数の信号を除去するフィルタとを備えたので、機器の電源が投入されていない時に電源ラインを保護することができ、通信線に対する電磁波誘導障害を防止できるとともに地絡電流が大きい時に不平衡分零相電流による電磁波障害を最小に留めることができ、さらに外部に高周波の復調波を出さないようにできる。
【００１８】
【発明の効果】
以上のように本発明によれば、シールド部材を接地する接地工事をせずに機器から外部に出る電磁波を低減することができる。また、機器の電源が投入されていない時に電源ラインを保護することができ、通信線に対する電磁波誘導障害を防止できるとともに地絡電流が大きい時に不平衡分零相電流による電磁波障害を最小に留めることができ、さらに外部に高周波の復調波を出さないようにできる。
【図面の簡単な説明】
【図１】本発明の実施形態の回路構成を示す回路図である。
【図２】同実施形態を示す概略図である。
【図３】商用周波数電源の変圧器を示す結線図である。
【符号の説明】
１５、１６      プラグ
１６ａ      シールド端子
Ｋ１      リレー
Ｒ１〜Ｒ３      抵抗
Ｃ１〜Ｃ３      コンデンサ
Ｌ１，Ｌ２      コイル
ＳＷ１      スイッチ
【図１】
2004288533.tif 000003
【図２】
2004288533.tif 000004
【図３】
2004288533.tif 000005